(57)【要約】【課題】フィンを薄くすることができるＬＥＤ照明装置を提供する。【解決手段】ＬＥＤ照明装置は、光源としての複数個のＬＥＤ素子がＬＥＤ基板に実装されてなるＬＥＤモジュールと、ＬＥＤモジュールを覆う透光性カバーと、ＬＥＤモジュールと透光性カバーとが表面に装着される円形状の金属ベース板と、金属ベース板の裏面に固定され且つ金属ベース板の径方向に延伸する複数のフィンと、複数のフィンの裏面に配されるフィンカバー体１６とを備え、フィンカバー体１６は、環状部１６３を有し、環状部１６３から金属ベース板側に延出する複数の脚部１６７を有し、脚部１６７は、複数のフィン間に配される。【選択図】図１１
2020170725.tif 000002
【特許請求の範囲】
【請求項１】
光源としての複数個のＬＥＤ素子がＬＥＤ基板に実装されてなるＬＥＤモジュールと、
前記ＬＥＤモジュールを覆う透光性カバーと、
前記ＬＥＤモジュールと前記透光性カバーとが表面に装着される円形状の金属ベース板と、
前記金属ベース板の裏面に固定され且つ当該金属ベース板の径方向に延伸する複数のフィンと、
前記複数のフィンの裏面に配されるフィンカバー体と
を備え、
前記フィンカバー体は、
環状部を有し、
前記環状部から前記金属ベース板側に延出する複数の脚部を有し、
前記脚部は、前記複数のフィン間に配される
ＬＥＤ照明装置。
【請求項２】
前記フィンカバー体は、
前記環状部よりも前記径方向の内側に配される内環状部を有し、
前記内環状部と前記環状部とを連結する連結部を有し、
前記脚部は、前記環状部と前記連結部における前記環状部側に跨る状態で設けられる
請求項１に記載のＬＥＤ照明装置。
【請求項３】
前記脚部は、延伸する方向と直交する断面がコ字状である
請求項１又は２に記載のＬＥＤ照明装置。
【請求項４】
前記フィンカバー体は、前記環状部の外周縁から表側に外開き状に延伸するカバー部を有する
請求項１〜３の何れか１項に記載のＬＥＤ照明装置。
【発明の詳細な説明】
【技術分野】
【０００１】
本発明は、光源としてのＬＥＤ素子を備えるＬＥＤ照明装置に関する。
【背景技術】
【０００２】
ＬＥＤ照明装置として、大型店舗、倉庫、工場等の屋内で使用されたり、建物やオブジェを照らすために屋外で使用されたりする高輝度の照明装置がある。これらの装置は、光源であるＬＥＤ素子が密閉されるように構成されている（例えば特許文献１）。
特許文献１に記載のＬＥＤ照明装置は、発光素子を実装した基板と、当該基板を表面に載置して保持する光源保持部と、を有し、前記光源保持部の表面にねじ止めされ、前記基板を覆うカバーを備え、前記カバーの縁部の複数箇所を前記基板に向かって凹ませて、前記ねじ止め用のねじ止め部を設けている。
【先行技術文献】
【特許文献】
【０００３】
【特許文献１】特開２０１４−８９９３５号公報
【発明の概要】
【発明が解決しようとする課題】
【０００４】
上記ＬＥＤ照明装置において、カバーを固定するねじは光源保持部のねじ穴に螺合する。ねじ穴は、気密性確保のため、光源保持部の表面から裏側に凹入する。このため、光源保持部の厚みが大きくなり、全体としてＬＥＤ照明装置の重量が重くなるという問題がある。
一方で、放熱用のフィンを薄くしたいという要望もある。
本発明は、フィンを薄くすることができるＬＥＤ照明装置を提供することを目的とする。
【課題を解決するための手段】
【０００５】
本発明に係るＬＥＤ照明装置は、光源としての複数個のＬＥＤ素子がＬＥＤ基板に実装されてなるＬＥＤモジュールと、前記ＬＥＤモジュールを覆う透光性カバーと、前記ＬＥＤモジュールと前記透光性カバーとが表面に装着される円形状の金属ベース板と、前記金属ベース板の裏面に固定され且つ当該金属ベース板の径方向に延伸する複数のフィンと、前記複数のフィンの裏面に配されるフィンカバー体とを備え、前記フィンカバー体は、環状部を有し、前記環状部から前記金属ベース板側に延出する複数の脚部を有し、前記脚部は、前記複数のフィン間に配される。
【発明の効果】
【０００６】
上記構成によれば、フィンカバー体を設けているため、フィンを薄くできる。
【図面の簡単な説明】
【０００７】
【図１】第１実施形態のＬＥＤ照明装置を示す図であり、（ａ）は表側から見た斜視図であり、（ｂ）は裏側から見た斜視図である。
【図２】分解したＬＥＤ照明装置を表側から見た斜視図である。
【図３】分解したＬＥＤ照明装置を裏側から見た斜視図である。
【図４】図２におけるヒートシンクの表側を拡大した図である。
【図５】図３におけるヒートシンクの裏側を拡大した図である。
【図６】ヒートシンクから透光性カバーを取り外した状態を表側から見た斜視図である。
【図７】ヒートシンクから透光性カバーを取り外した状態を裏側から見た斜視図である。
【図８】口金付き筒体の断面斜視図である。
【図９】口金付き筒体をヒートシンク側から見た斜視図である。
【図１０】口金付き筒体のヒートシンクへの連結状態を示す断面斜視図である。
【図１１】フィンカバー体を示す図であり、（ａ）は表側から見た斜視図であり、（ｂ）は裏側から見た斜視図である。
【図１２】連結体を示す図であり、（ａ）は表側から見た斜視図であり、（ｂ）は裏側から見た斜視図である。
【図１３】口金付き筒体のヒートシンクへの連結を説明する図であり、（ａ）は連結体を回転させる前の状態を示す図であり、（ｂ）は連結体を回転させた後の状態を示す図である。
【図１４】第２実施形態のＬＥＤ照明装置を示す図であり、（ａ）は表側から見た斜視図であり、（ｂ）は裏側から見た斜視図である。
【図１５】分解したＬＥＤ照明装置を表側から見た斜視図である。
【図１６】分解したＬＥＤ照明装置を裏側から見た斜視図である。
【図１７】筒体の断面斜視図である。
【図１８】他の形態のＬＥＤ照明装置を示す図であり、（ａ）は表側から見た斜視図であり、（ｂ）は裏側から見た斜視図である。
【発明を実施するための形態】
【０００８】
＜概要＞
実施形態の一態様に係るＬＥＤ照明装置は、光源としての複数個のＬＥＤ素子がＬＥＤ基板に実装されてなるＬＥＤモジュールと、前記ＬＥＤモジュールを覆う透光性カバーと、前記ＬＥＤモジュールと前記透光性カバーとが表面に装着される円形状の金属ベース板と、前記金属ベース板の裏面に固定され且つ当該金属ベース板の径方向に延伸する複数のフィンと、前記複数のフィンの裏面に配されるフィンカバー体とを備え、前記フィンカバー体は、環状部を有し、前記環状部から前記金属ベース板側に延出する複数の脚部を有し、前記脚部は、前記複数のフィン間に配される。
実施形態の別態様に係るＬＥＤ照明装置において、前記フィンカバー体は、前記環状部よりも前記径方向の内側に配される内環状部を有し、前記内環状部と前記環状部とを連結する連結部を有し、前記脚部は、前記環状部と前記連結部における前記環状部側に跨る状態で設けられる。
実施形態の別態様に係るＬＥＤ照明装置において、前記脚部は、延伸する方向と直交する断面がコ字状である。
実施形態の別態様に係るＬＥＤ照明装置において、前記フィンカバー体は、前記環状部の外周縁から表側に外開き状に延伸するカバー部を有する。
明細書に係るＬＥＤ照明装置は、気密性を確保しつつ軽量化することができるＬＥＤ照明装置を提供することを目的とするものであり、光源としての複数個のＬＥＤ素子がＬＥＤ基板に実装されてなるＬＥＤモジュールと、前記ＬＥＤモジュールを覆う透光性カバーと、前記ＬＥＤモジュールと前記透光性カバーとが表面に装着される薄肉の金属ベース板とを備え、前記金属ベース板は、前記ＬＥＤモジュールと前記透光性カバーとを装着するための装着具を表面に有する。この構成によれば、金属ベース板の表面に装着具を設けているため、金属ベース板を薄くできる。これにより金属ベース板を薄くでき、軽量化を図ることができる。
明細書に係るＬＥＤ照明装置において、前記透光性カバーは、前記ＬＥＤモジュールを覆う被覆部と、前記金属ベース板の表面に対向する環状部を有し、前記環状部と前記金属ベース板との間であって前記透光性カバー用の装着具の内側にパッキンが配されている。これによりＬＥＤモジュールを収容する空間の気密性を維持できる。
明細書に係るＬＥＤ照明装置において、前記金属ベース板の裏面に、当該金属ベース板より薄い金属板で構成された複数個のフィンが立設されている。これにより、フィンの軽量化を図ることができる。
明細書に係るＬＥＤ照明装置において、前記複数個のフィンにおいて、前記金属ベース板とは反対側の端部を覆うフィンカバー体を有し、前記フィンカバー体は前記フィンの裏側端が嵌合する溝を有する。フィンの振動等を規制することができる。
明細書に係るＬＥＤ照明装置において、前記金属ベース板は外周縁に表側に延出する鍔部を有し、前記鍔部の内周面が前記透光性カバーの前記環状部の外周面に当接又は近接する。これにより、金属ベース板の裏側周縁やフィン形成部に油滴や水滴の滞留や塵の堆積が生じ難くできる。
【０００９】
＜第１実施形態＞
１．概要
第１実施形態に係るＬＥＤ照明装置（以下、単に「照明装置」とする。）１は、大型店舗、倉庫、工場等の屋内でソケット（図示省略）に装着されて使用される、所謂、口金付きの高輝度ランプである。
照明装置１は、図１〜図４に示すように、ＬＥＤ素子１３１を備える光源部３、光源部３を支持する支持部５、光源部３を覆うカバー部７、ソケット側に接続される接続部９を少なくとも有する。照明装置１は、前記各部を構成するために、ＬＥＤモジュール１３、ヒートシンク１５、透光性カバー１７、口金付き筒体１９を有する。本実施形態では、ヒートシンク１５を保護するフィンカバー体１６を有する。
以下、各部について説明する。
【００１０】
２．各部構成
（１）光源部
主に図４及び図５を用いて説明する。
光源部３は具体的にはＬＥＤモジュール１３により構成される。ＬＥＤモジュール１３は、複数個のＬＥＤ素子１３１と、複数のＬＥＤ素子１３１を実装するＬＥＤ基板１３３とから構成される。ＬＥＤモジュール１３は受電用のコネクタ１３５をＬＥＤ基板１３３に有している。コネクタ１３５は図８や図１０に示す電源側のコネクタ１８４に着脱自在に接続される。
ＬＥＤ素子１３１は、定格点灯時の１個の消費電力が０．１［Ｗ］以上１［Ｗ］以下に設定された、所謂、「Ｍｉｄｄｌｅ  Ｐｏｗｅｒ」タイプである。ここでの１個のＬＥＤ素子１３１の消費電力は０．２［Ｗ］である。
ＬＥＤ素子１３１として、発光効率の高いＭｉｄｄｌｅ  Ｐｏｗｅｒタイプを使用することで、全体のＬＥＤ素子１３１の発熱量を抑えることができ、後述の板金タイプのヒートシンク１５を利用できる。また、１個当たりのＬＥＤ素子１３１の消費電力を０．１[Ｗ]以上１［Ｗ］以下に設定することで発熱量を低くでき、ＬＥＤ基板１３３に高密度で実装できる。さらに、１個当たりのＬＥＤ素子１３１の発熱量を抑えることにより、薄肉の金属板をプレス成形してなる所謂板金フィンを使用することできる。これにより、例えば１個当たりの消費電力が１［Ｗ］より大きい所謂Ｈｉｇｈ  Ｐｏｗｅｒタイプを使用する場合の熱伝導性の優れた材料でＬＥＤモジュールを実装する支持部材とフィンとを一体化させた厚肉のヒートシンク（アルミダイキャスト品）を使用する必要がなくなり、大幅な軽量化を図ることができる。
【００１１】
ＬＥＤ基板１３３はここでは円形状をしている。ＬＥＤ基板１３３は、口金１９５側に接続された電気ケーブル（ここでは、突入電流防止回路１８に接続された電気ケーブルであり、図８及び図１０参照。）１８５ａ，１８５ｂを通すための貫通孔１３３ａを中央に有する。なお、コネクタ１３５は貫通孔１３３ａの近くであって表面に設けられている。
ＬＥＤ基板１３３は支持部５の一例であるヒートシンク１５に装着するためのモジュール装着部１３３ｂ，１３３ｃを有している。ここでの装着にはヒートシンク１５から延伸するねじ体（モジュール装着部１５１ｂである。）とナット体１３９ａとが利用される。モジュール装着部１３３ｂは、貫通孔により構成され、円形状のＬＥＤ基板１３３の径方向の中間部位であって周方向に間隔をおいて複数個（ここでは３個である。）ある。モジュール装着部１３３ｃは、欠けにより構成され、円形状のＬＥＤ基板１３３の外周縁であって周方向に間隔をおいて複数個（ここでは６個である。）ある。欠けは外周縁から中心に向かって延伸している。なお、モジュール装着部１３３ｃは貫通孔により構成してもよい。
【００１２】
（２）ヒートシンク
図４及び図５を用いて説明する。
支持部５はヒートシンク１５の金属ベース板１５１により構成されている。ヒートシンク１５は、金属ベース板１５１と複数のフィン１５３とから構成されている。金属ベース板１５１及びフィン１５３は厚みが５［ｍｍ］以下の金属板をプレス加工して構成される。このため、フィン１５３は板金タイプのフィンと言える。なお、金属ベース板１５１とフィン１５３の材料はアルミニウムである。
【００１３】
（２−１）金属ベース板
金属ベース板１５１はＬＥＤ基板１３３の形状に対応して円形状をしている。金属ベース板１５１は、表面にＬＥＤモジュール１３を搭載するモジュール支持部１５１ａを有している。
金属ベース板１５１は、モジュール支持部１５１ａにＬＥＤモジュール１３を装着するモジュール装着部１５１ｂを有している。つまり、金属ベース板１５１は、当該金属ベース板１５１を構成する金属板に貫通孔を設けることなく、ＬＥＤモジュール１３を装着するためのモジュール装着具を表面に有している。なお、モジュール装着具の符号も「１５１ｂ」を利用する。
【００１４】
一例としてのモジュール装着具１５１ｂは雄ねじを外周面に有する金属棒状体により構成されている。モジュール装着部１５１ｂはモジュール支持部１５１ａの表面にモジュール装着具（１５１ｂ）が打ち込み又は溶接で固定されて金属ベース板１５１を構成する金属板と一体化される。なお、モジュール装着具が金属板と一体化されたモジュール装着部１５１ｂは金属板（モジュール支持部１５１ａ）の表面に設けられたねじ部となる。
ねじ部は円形状の金属ベース板１５１の半径方向の中間部位と外周に近い部位であって周方向に間隔をおいて複数個（ここでは９個である。）設けられている。なお、モジュール装着部１５１ｂはＬＥＤモジュール１３のモジュール装着部１３３ｂ，１３３ｃに対応している。
ねじ部は、ＬＥＤ基板１３３のモジュール装着部１３３ｂ，１３３ｃである貫通孔や欠けを挿通し、ＬＥＤ基板１３３の表側でナット体１３９ａと螺合する。
【００１５】
金属ベース板１５１は口金付き筒体１９に連結される筒体連結部１５１ｃを有している。連結には連結体１４が利用され、筒体連結部１５１ｃが口金付き筒体１９と連結体１４とにより挟持される。具体的には、金属ベース板１５１の裏面に口金付き筒体１９が当接する状態で、金属ベース板１５１の貫通孔１５１ｅから表側に延出する口金付き筒体１９の延伸片１９３ｅ（図９参照）が、金属ベース板１５１の表面に当接する連結体１４の係合部１４３ｂに係合する。
すなわち、筒体連結部１５１ｃは、口金付き筒体１９と裏面で当接し且つ連結体１４と表面で当接する当接部分１５１ｄと、口金付き筒体１９が当接部分１５１ｄに当接する際に口金付き筒体１９の延伸片が通過するための貫通孔１５１ｅとを有している。ここでは、口金付き筒体１９と連結体１４との係合状態を固定する固定体１３９ｂ用の貫通孔１５１ｆを有している。なお、固定体１３９ｂは、表側から連結体１４の貫通孔１４５ａと金属ベース板１５１の貫通孔１５１ｆを挿通して、図９に示す口金付き筒体１９のねじ穴１９３ｄに螺合する。
【００１６】
金属ベース板１５１は、連結体１４を表側に収容する連結体収容部１５１ｇを有している。連結体収容部１５１ｇは、金属ベース板１５１の中央部に設けられ、モジュール支持部１５１ａを基準にして裏側へと凹入する凹入部分により構成される。これにより、ＬＥＤモジュール１３から出射された光が筒体連結部１５１ｃや連結体１４で遮られるのを防止できる。なお、凹入部分の符号に「１５１ｇ」を用いる。凹入部分１５１ｇは円形状に凹入し、凹入部分１５１ｇの底部分に筒体連結部１５１ｃが設けられている。なお、底部分の符号に「１５１ｄ」を用いる。
凹入部分１５１ｇの底部分である当接部分１５１ｄ及び連結体１４は円環状をし、中央の貫通孔１５１ｈや開口１４１ａが、口金１９５側に接続された電気ケーブル１８５ａ，１８５ｂ（図１０参照）を通すための孔となっている。
【００１７】
金属ベース板１５１は透光性カバー１７を装着するためのカバー装着部１５１ｊを有している。つまり、金属ベース板１５１は、当該金属ベース板１５１を構成する金属板に貫通孔を設けることなく、透光性カバー１７を装着するためのカバー装着具を表面に有している。なお、カバー装着具の符号も「１５１ｊ」を利用する。
一例としてのカバー装着具１５１ｊはねじ孔又はねじ穴を有する金属筒体により構成されている。ここでは内周面に雌ねじを有する金属筒体が利用されている。カバー装着部１５１ｊは金属ベース板１５１を構成する金属板にカバー装着具（１５１ｊ）が打ち込み又は溶接で固定されて金属板と一体化される。なお、カバー装着具が金属板と一体化されたカバー装着部１５１ｊは、金属板の表面に設けられたボス１５１ｋとボス１５１ｋに設けられたねじ穴１５１ｌとなる。カバー装着部１５１ｊは金属ベース板１５１の外周縁に近い部位であって周方向に等間隔をおいて複数個（ここでは、６個である。）設けられている。ねじ穴１５１ｌにはワッシャ付きねじ体１３９ｃが螺合する。
なお、透光性カバー１７を金属ベース板１５１に装着した際に、ワッシャ付きねじ体１３９ｃにおいてねじ穴１５１ｌに螺合している雄ねじ部の長さは、ねじ穴１５１ｌの深さ（長さ）よりも短い。これにより、カバー装着具１５１ｊが金属ベース板１５１を構成する金属板から外れたり、金属板に孔をあけたりするようなことを防げる。これにより、ＬＥＤモジュール１３を収容空間の密閉性を維持できる。
金属ベース板１５１の外周縁は表側に延伸する表鍔部１５１ｍとなっている。表鍔部１５１ｍは金属ベース板１５１を機械的に強化するリブとしての機能を有している。表鍔部１５１ｍの内周面は透光性カバー１７の外周面に当接又は近接する。
【００１８】
（２−２）フィン
ここでのフィン１５３は金属板を「コ」字にプレスして構成される。フィン１５３は、表裏に延伸する一対のフィン部１５３ａ，１５３ａと、一対のフィン部１５３ａ，１５３ａの表側端を連結する連結部１５３ｂとを有する。なお、ここでの連結部１５３ｂは一対のフィン部１５３ａ，１５３ａに対して直交する状態で連結している。
連結部１５３ｂは裏側から見たときに細長の等脚台形状をしている。長さの短い底辺が金属ベース板１５１の中心側に位置するように、複数個のフィン１５３が周方向に等角度をおいて放射状に配されている。
連結部１５３ｂは、金属ベース板１５１の径方向に間隔をおいた複数個所（ここでは２箇所である。）で、金属ベース板１５１に固定されている。ここでの固定は溶接が用いられ、図５において連結部１５３ｂの溶接個所の符号「１５３ｃ」で示し、図４において金属ベース板１５１の溶接個所を符号「１５３ｐ」で示す。なお、連結部１５３ｂが金属ベース板１５１に固定された状態では、フィン部１５３ａは金属ベース板１５１に対して立設する。
連結部１５３ｂは、金属ベース板１５１の径方向に間隔をおいた複数個所（ここでは２箇所である。）に貫通孔１５３ｄを有している。貫通孔１５３ｄは金属ベース板１５１の凸部１５１ｑと嵌合する。なお、凸部１５１ｑは裏側に突出し、表側が少し凹んでいる。
【００１９】
（３）透光性カバー
図６及び図７を用いて説明する。
透光性カバー１７は透光性の樹脂材料により構成されている。樹脂材料として例えばポリカーボネートが利用されているが、他の樹脂であってもよい。透光性カバー１７は、ＬＥＤモジュール１３の外周側に位置する環状部１７１と、ＬＥＤモジュール１３を覆う被覆部１７３とを有している。
【００２０】
（３−１）環状部
環状部１７１はＬＥＤ基板１３３の外形に対応した外観形状をしている。ここでは、ＬＥＤ基板１３３が円形状であるため、環状部１７１は円環状をしている。
環状部１７１は、周方向に配された円弧状の複数の平坦部分１７１ａと、周方向に隣接する平坦部分１７１ａ間に設けられた表側に凹入する凹入部分１７１ｂと、平坦部分１７１ａの内側に設けられた溝部分１７１ｃとを有している。なお、溝部分１７１ｃにはパッキン１２ａが収容される。
環状部１７１は、平坦部分１７１ａの表面の外周縁から表側に延出する表鍔部分１７１ｄを有してもよい。表鍔部分１７１ｄは凹入部分１７１ｂの外周部分に連結している。
環状部１７１は凹入部分１７１ｂの底に貫通孔１７１ｅを有している。貫通孔１７１ｅの大きさは、金属ベース板１５１に透光性カバー１７を被せた際に、金属ベース板１５１のボス１５１ｋが貫通孔１７１ｅに嵌る大きさである。凹入部分１７１ｂの深さは、金属ベース板１５１に透光性カバー１７の表鍔部分１７１ｄが当接するように透光性カバー１７を被せた際に、ボス１５１ｋの表面が凹入部分１７１ｂの底の表面と一致する又は底の表面よりも少し裏側に位置するような深さである。凹入部分１７１ｂの凹入を構成する内側部分（内側壁）は図７に示すように溝部分１７１ｃを構成する外側部分（外側壁）となっている。
環状部１７１は、周方向に隣接する凹入部分１７１ｂの間であって溝部分１７１ｃを構成する外側部分（外側壁）と表鍔部分１７１ｄとを連結するリブ部分１７１ｆを表側に有してもよい。
【００２１】
（３−２）被覆部
被覆部１７３は環状部１７１の内周側から表側に膨出する。被覆部１７３は表側に移るにしたがって直径が小さくなる筒状部分１７３ａと、筒状部分１７３ａの表端からドーム状に膨出するドーム状部分１７３ｂとを有する。筒状部分１７３ａの裏側端部は環状部１７１の溝部分１７１ｃの凹入を構成する内側部分（内側壁）となっている。なお、被覆部１７３は表裏のいずれかに光拡散処理面を有してもよい。但し、照明装置１の設置位置と人が存在する領域とが十分に離れている場合は光拡散処理面を有さなくてもよい。
【００２２】
（３−３）取付
透光性カバー１７の金属ベース板１５１への装着の一例について図６及び図７を用いて説明する。
透光性カバー１７の溝部分１７１ｃにパッキン１２ａ（図６では金属ベース板１５１側にある。）を収容した状態で、透光性カバー１７の貫通孔１７１ｅに金属ベース板１５１のボス１７１ｋが嵌るように透光性カバー１７を金属ベース板１５１に被せ、固定体１３９ｃであるワッシャ付きねじ体１３９ｃを金属ベース板１５１のボス１７１ｋのねじ穴１７１ｌに螺合させる。なお、貫通孔１７１ｅは、透光性カバー１７の径方向に長い形状、例えば長円状をしている。これにより、透光性カバー１７の寸法が熱膨張等により変化しても、膨張による固定位置の変化分を吸収できる。
【００２３】
（４）口金付き筒体
図１〜図３を用いて説明する。
口金付き筒体１９は筒体１９１と口金１９５とを有している。口金付き筒体１９における口金１９５側と反対側がヒートシンク１５に装着される。
【００２４】
図８〜図１０を用いて説明する。
筒体１９１は細長い鍔付き有底筒状をしている。筒体１９１は、細長状の筒状部１９２と、筒状部１９２の一端から張り出す鍔部１９３と、筒状部１９２の他端を塞ぐ底部１９４（図６参照）とを有する。
筒状部１９２は円筒状に近い筒状をしている。筒状部１９２は内周面に中心軸と平行な方向に延伸するリブ１９２ａを周方向に間隔をおいて複数個（ここでは３個である。）備えている。なお、筒状部１９２にはＬＥＤ素子１３１を保護する突入電流防止回路１８が収容されている。
筒状部１９２における他端部は、図６に示すように口金１９５を装着するための口金装着部分１９２ｂとなっている。ここでの口金１９５はエジソンタイプであり、具体的にはＥ３９タイプである。口金装着部分１９２ｂは、他端部に対して一端側に近い部分より細くなった段差状となっており、この段差部分に口金１９５のシェル部の雌ねじに螺合する雄ねじが設けられている。
【００２５】
鍔部１９３はラッパ状に張り出す。鍔部１９３は、筒状部１９２の中心軸と直交する方向に張り出す横鍔部分１９３ａと、横鍔部分１９３ａの張り出し先端から筒状部１９２の中心軸と平行な方向であって口金１９５が存在しない側に張り出す縦鍔部分１９３ｂとを有する。
鍔部１９３はパッキン１２ｂ用の溝部１９３ｃを横鍔部分１９３ａに有する。ここでの溝部１９３ｃは、表側から見たときに、筒状部１９２の中心軸を中心とする円形状をしている。パッキン１２ｂは筒体１９１とヒートシンク１５の金属ベース板１５１との間の気密性を確保するためのものである。なお、溝部１９３ｃの深さは負荷が作用していないパッキン１２ｂの太さよりも小さい。
鍔部１９３はねじ穴１９３ｄを横鍔部分１９３ａに有している。このねじ穴１９３ｄは、図４や図５に示す連結体１４を固定するためのねじ体１３９ｂ用である。鍔部１９３が連結された状態では、口金付き筒体１９と連結体１４とヒートシンク１５とが金属ベース板１５１を挟んで固定される。
【００２６】
鍔部１９３は、連結体１４の係合部１４３ｂと係合する延伸片１９３ｅを横鍔部分１９３ａに有している。延伸片１９３ｅは周方向に間隔をおいて複数個（ここでは３個である。）ある。延伸片１９３ｅは溝部１９３ｃの内側であって溝部１９３ｃに沿って設けられている。
延伸片１９３ｅは、図９に示すように、筒状部１９２の中心軸と平行な方向に延伸する縦延伸部１９３ｆと、縦延伸部１９３ｆの延伸先端から中心軸に向かって延伸する横延伸部１９３ｇとを有する。延伸片１９３ｅを表側から見たとき、延伸片１９３ｅは三角形状をしている。ここでの三角形は直角三角形状をし、直角部分が延伸先端（中心軸側）にある。なお、直角部分と対向する辺は円弧状となっている。縦延伸部１９３ｆの延伸量は、図１０に示すように、横鍔部分１９３ａの表側端が金属ベース板１５１の凹入部分１５１ｇに当接した際に、金属ベース板１５１の貫通孔１５１ｅと連結体１４の貫通孔１４３ａとを延伸片１９３ｅが挿通し、連結体１４の貫通孔１４３ａの周辺の係合部１４３ｂに係合できる量である。
【００２７】
筒体１９１は、図９に示すように、筒状部１９２と鍔部１９３とに跨るリブ部１９６を有している、リブ部１９６は周方向に間隔をおいて複数個（ここでは６個である。）ある。筒体１９１はフィンカバー体１６を装着するためのカバー体装着部１９７を鍔部１９３の裏側に有する。ここでの筒体１９１へのフィンカバー体１６の装着には図２及び図３に示す固定体１３９ｄが利用される。固定体１３９ｄはねじ体であり、カバー体装着部１９７はボス１９７ａと、ボス１９７ａに設けられたねじ穴１９７ｂとから構成される。カバー体装着部１９７は周方向に間隔をおいて３個あり、６個のリブ部１９６に対して１個飛ばしのリブ部１９６に設けられている。なお、ねじ穴１９７ｂは鍔部１９３の内部にまで達していない。
底部１９４は、図８に示すように、中央部分に開口１９４ａを有している。開口１９４ａは口金１９５に接続された一対のリード線１９８ａ，１９８ｂを通すためのものである。なお、筒状部１９２のリブ１９２ａは底部１９４の内面と連結している。
【００２８】
（５）フィンカバー体
主に図１１を用いて説明する。
フィンカバー体１６はヒートシンク１５のフィン１５３の裏側部分を保護する。フィンカバー体１６は樹脂材料により構成されている。フィン１５３の保護によりフィン１５３を構成する金属板の厚みを薄くできる。
フィンカバー体１６は、例えば、内環状部１６１、外環状部１６３、連結部１６５、脚部１６７、カバー部１６９を有する。
【００２９】
（５−１）内環状部
内環状部１６１は、環状部分１６１ａと有底筒状部分１６１ｂを有する。環状部分１６１ａはここでは円環状をしている。有底筒状部分１６１ｂは環状部分１６１ａの内周縁から表側に延伸している。有底筒状部分１６１ｂは、筒状部分１６１ｃと底部分１６１ｄとを有し、底部分１６１ｄに開口１６１ｅを有している。筒状部分１６１ｃの裏側端が環状部分１６１ａに連結されている。筒状部分１６１ｃは表側に移るにしたがって細くなる円筒状をしている。
有底筒状部分１６１ｂはフィンカバー体１６を口金付き筒体１９に装着するための貫通孔１６１ｆを底部分１６１ｄに有している。有底筒状部分１６１ｂは筒状部分１６１ｃと底部分１６１ｄとに跨るリブ部分１６１ｇを裏側に有している。リブ部分１６１ｇは周方向に間隔をおいて複数個（ここでは６個である。）ある。
【００３０】
有底筒状部分１６１ｂは、図１１の（ｂ）に示すように、フィン１５３（フィン部１５３ａ）の周方向の動きを規制する規制部分１６１ｈを有している。規制部分１６１ｈは、表側に筒状に延出する筒状延出部分１６１ｉと、延出先端に設けられた複数の溝部分１６１ｊとを有する。ここでの溝部分１６１ｊは三角状をし、溝部分１６１ｊにフィン部１５３ａが嵌る。より具体的には、フィンカバー体１６は三角状の溝部分１６１ｊの底にフィン部１５３ａの裏側であって内側端が当接するように構成されている。この観点からは、規制部分１６１ｈはフィン部１５３ａを支持する支持部分とも言える。
【００３１】
（５−２）外環状部
外環状部１６３は環状部分１６３ａを有する。環状部分１６３ａはここでは円環状をしている。
外環状部１６３は、図１１の（ｂ）に示すように、フィン１５３（フィン部１５３ａ）の周方向の動きを規制する規制部分１６３ｂを有している。規制部分１６３ｂは、表側に筒状に延出する筒状延出部分１６３ｃと、延出先端に設けられた複数の溝部分１６３ｄとを有する。ここでの溝部分１６３ｄは三角状をし、溝部分１６３ｄにフィン部１５３ａが嵌る。より具体的には、フィンカバー体１６は三角状の溝部分１６３ｄの底にフィン部１５３ａの裏側であって外側端が当接するように構成されている。この観点からは、規制部分１６３ｂはフィン部１５３ａを支持する支持部分とも言える。
フィン部１５３ａにフィンカバー体１６を取り付ける際、フィン１５３の先端の位置が溝部分１６３ｄの底から一方方向に少しずれていても、三角形状の２辺の一部に当接していれば、フィンカバー体１６を回転させて調整すれば、フィン１５３の先端を三角形の辺に沿って底の位置に移動させることができる。すなわち、三角形状の溝部分１６３ｄは、フィン１５３に対し、フィンカバー体１６を取り付ける際のガイド機能を有している。
【００３２】
（５−３）連結部、脚部及びカバー部
連結部１６５は内環状部１６１と外環状部１６３とを連結する。連結部１６５は径方向に延伸して内環状部１６１と外環状部１６３とを連結する。連結部１６５は周方向に間隔をおいて複数個所（ここでは６箇所である。）で連結する。これにより軽量化を図ることができる。
脚部１６７は外環状部１６３及び連結部１６５における外環状部１６３側部分に跨る状態で設けられている。脚部１６７は表側に延伸する。延伸量は、フィンカバー体１６をヒートシンク１５に装着した際にフィン部１５３ａの裏側端が規制部分１６１ｈ，１６３ｂの溝部分１６１ｊ，１６３ｄに嵌るように設定されている。脚部１６７は、延伸方向と直交する断面が「コ」字状となっている。脚部１６７はフィン１５３間に配される。
カバー部１６９はフィン１５３の外周側であって裏側を覆う。カバー部１６９は外環状部１６３の外周縁から表側に外開き状に延伸する。
【００３３】
（６）連結体
図１２を用いて説明する。
連結体１４は、金属ベース板１５１の中央の凹入部分１５１ｇ（図４参照）に収容される。連結体１４は、ヒートシンク１５と口金付き筒体１９とを連結する際に、ヒートシンク１５及び口金付き筒体１９に対して相対的に回転して、口金付き筒体１９の延伸片１９３ｅと係合する。このため、連結体１４は、回転可能な形状をし、表側から見たときに例えば円状をしている。ここでは、中央に開口１４１ａを有する円環状をしている。
連結体１４は板状の円環部１４１を有している。円環部１４１の裏面側は面一な平面である。連結体１４は口金付き筒体１９と連結するための連結部１４３を円環部１４１に有している。連結部１４３は周方向に間隔をおいて複数個（ここでは３個である。）ある。
【００３４】
連結部１４３は貫通孔１４３ａ及び係合部１４３ｂ（図１２の（ａ）参照）を少なくとも有している。ここでの連結部１４３はストッパ部１４３ｃも有している。ストッパ部１４３ｃは、連結体１４を手で回転操作して口金付き筒体１９に係合させる作業を行う際に、連結体１４のつまみ（把持部）としての役割も果たしている。
貫通孔１４３ａは、口金付き筒体１９の延伸片１９３ｅ（図９参照）の通過を許容する受入口１４３ｄと、延伸片１９３ｅの相対的な回転を許容する回転孔１４３ｅとを有する。表側から見た受入口１４３ｄの一例としての形状は延伸片１９３ｅの横延伸部１９３ｇと同じ形状（図１３の（ａ）参照）をし、ここでは三角形状をしている。表側から見た回転孔１４３ｅの一例としての形状は延伸片１９３ｅの縦延伸部１９３ｆと同じ形状をし、ここでは円弧状（図１３の（ａ）参照）をしている。
係合部１４３ｂは、図１０に示すように、回転孔１４３ｅに対して相対的に回転した延伸片１９３ｅの横延伸部１９３ｇが係合できるように表側に筋状に突出している。つまり、円環部１４１の表面と横延伸部１９３ｇとの間に隙間が存在するため、延伸片１９３ｅが係合できるように係合部１４３ｂが表側に突出する。係合部１４３ｂは回転孔１４３ｅの内側に、回転孔１４３ｅに沿って円弧状に設けられている。係合部１４３ｂの受入口１４３ｄ側は、受入口１４３ｄから離れるにしたがって突出量が多くなる傾斜面となっている。これにより連結体１４の回転をスムーズに行える。
【００３５】
ストッパ部１４３ｃは、口金付き筒体１９を連結する際の連結体１４が係合部１４３ｂを超えて回転するのを規制する。ストッパ部１４３ｃは、口金付き筒体１９の横延伸部１９３ｇが係合部１４３ｂに係合したときに、横延伸部１９３ｇにおける受入口１４３ｄと反対側の端部に当接するように設けられている。ストッパ部１４３ｃは、後述の内鍔部１４７ａと外鍔部１４７ｂとを連結し且つ表側に延伸するリブにより構成されている。
連結体１４は、連結体１４の回転移動を止めるための回転止め部１４５を円環部１４１に有している。回転止めには、図４及び図５に示すように、固定体であるねじ体１３９ｂが利用され、ねじ体１３９ｂが挿通する貫通孔により回転止め部１４５が構成される。
連結体１４は円環部１４１の内周縁から表側に延伸する内鍔部１４７ａを有している。連結体１４は円環部１４１の外周縁から表側に延伸する外鍔部１４７ｂを有している。
連結体１４は、ＬＥＤモジュール１３へ入力される突入電流を防止する突入電流防止回路１８（図８及び図１０参照）を固定する回路固定部１４９を有している。回路固定部１４９は、図８及び図１０に示すように、突入電流を防止する例えばフューズやダイオード等の電子部品１８１を実装する基板１８３を固定する。回路固定部１４９は円環部１４１の内周側に設けられた２つの「コ」字片１４９ａにより構成される。「コ」字片１４９ａは表裏方向に延伸し、「コ」字片１４９ａの溝に基板１８３が挿入される。
【００３６】
３．ヒートシンクの表側の密閉
ＬＥＤモジュール１３のヒートシンク１５への装着は、図４に示すように、金属ベース板１５１を挿通せずにモジュール支持部１５１ａに設けられたモジュール装着部１５１ｂ（ねじ部）を利用している。
透光性カバー１７のヒートシンク１５への装着は、図１２に示すように金属ベース板１５１を挿通せずにモジュール支持部１５１ａに設けられたカバー装着部１５１ｊを利用して、図６に示すようにＬＥＤモジュール１３を囲繞するパッキン１２ａの外周側部分で行われる。
このため、ヒートシンク１５の表側であってＬＥＤモジュール１３を収容する空間の密閉性は確保できる。
また、金属ベース板１５１の外周縁には、透光性カバー１７の外周側面を覆うように、表鍔部１５１ｍが設けられている。このため、金属ベース板１５１の表面と透光性カバー１７の裏面との間にオイルや埃が浸入するのを防止できる。なお、オイルは空気中のオイル成分がフィン１５３に付着し、ヒートシンク１５に沿って透光性カバー１７側に垂下したもの等である。また、金属ベース板１５１に表側に延伸する表鍔部１５１ｍがあるため、フィン１５３や金属ベース板１５１の裏側にオイルや水滴の滞留や埃等の堆積が生じ難くできる。
【００３７】
４．ヒートシンクの裏側の密閉
口金付き筒体１９のヒートシンク１５への装着は、図１０に示すように、金属ベース板１５１を挿通する口金付き筒体１９の延伸片１９３ｅを利用して、金属ベース板１５１の裏面に配されるパッキン１２ｂの内側部分で行われる。
このため、金属ベース板１５１の裏側であってＬＥＤモジュール１３を収容する空間と連通する口金付き筒体１９内の密閉性は確保できる。
また、口金付き筒体１９の鍔部１９３の縦鍔部分１９３ｂが、金属ベース板１５１と口金付き筒体１９の連結部分である凹入部分１５１ｇの外周面を覆っている。このため、金属ベース板１５１と口金付き筒体１９との連結部分からオイルや埃が浸入するのを防止できる。
【００３８】
５．連結体
口金付き筒体１９の連結に際し連結体１４を使用することで容易に行うことができる。図１３は、金属ベース板１５１の凹入部分１５１ｇに配された連結体１４の貫通孔１４３ａに口金付き筒体１９の延伸片１９３ｅを挿通させた状態を表側から見た図である。
口金付き筒体１９の連結は、図１３の（ａ）に示す状態から、同図の矢印Ａ方向に連結体１４を回転させることで行える。特に係合部１４３ｂは傾斜面を有しているため、金属ベース板１５１と口金付き筒体１９の鍔部１９３との間に隙間があっても、連結体１４の回転により当接する。これにより密閉性を確保できる。
【００３９】
＜第２実施形態＞
第１実施形態のＬＥＤ照明装置１は口金１９５を介してソケットに装着されると共に受電している。ＬＥＤ照明装置は、建物の梁や壁等の造営材に装着され、ソケット以外から受電する構造であってもよい。このような構造のＬＥＤ照明装置を第２実施形態として以下説明する。
【００４０】
１．概要
第２実施形態に係るＬＥＤ照明装置（以下、単に「照明装置」とする。）１００１は、大型店舗、倉庫、工場等の屋内で梁等に直付けで装着されて使用される。
照明装置１００１は、図１４〜図１６に示すように、支持部５により支持された光源部３（図示なし）がカバー部７で覆われてなる光源体１００３、光源体１００３に接続され且つ受電用の電気ケーブル１１８５を有する接続部１００５と、光源体１００３を梁等に固定するための固定部１００７とを有する。ここで、光源部３、支持部５、カバー部７は第１実施形態におけるこれらと同じ構造を有する。
照明装置１００１は、前記各部を構成するために、ＬＥＤモジュール１３、ヒートシンク１５、透光性カバー１７、筒体１０１５、フレーム１０１７、取付アーム１０１９を有する。第２実施形態でもヒートシンク１５を保護するフィンカバー体１６を有する。
ここでは、第１実施形態と異なる接続部１００５を構成する筒体１０１５と、固定部１００７を構成するフレーム１０１７と取付アーム１０１９とについて以下説明する。
【００４１】
２．筒体
図１７を用いて説明する。
筒体１０１５は、第１実施形態の口金付き筒体１９における口金１９５側が異なる構造であり、ヒートシンク１５への連結側の構造は同じである。
筒体１０１５は筒状体１１５１とケーブルグランド１１５５とを備える。筒状体１１５１はケーブルグランド１１５５を他端側に装着する点で、第１実施形態の筒体１９１と異なる。このため、筒状体１１５１における他端部側について説明し、一端部側の説明は省略する。
筒状体１１５１は他端側に底部１１５２を有している。底部１１５２の中央には貫通孔１１５３があり、この貫通孔１１５３にケーブルグランド１１５５が装着されている。底部１１５２の内面には筒状延伸部１１５４が設けられている。筒状延伸部１１５４の横断面形状はケーブルグランド１１５５のナット体１１５６に外嵌できる形状をしている。ここでは、正六角形状をしている。
ケーブルグランド１１５５は、突入電流防止回路１８を構成する基板１８３に接続される電気ケーブル１１８５が密閉状態で挿通する本体１１５７と、筒状体１１５１の筒状延伸部１１５４の内部に配され且つ本体１１５７の第１ねじ部１１５７ａと螺合するナット体１１５６と、筒状体１１５１の外部に配され且つ本体１１５７の第２ねじ部１１５７ｂと螺合するシールナット体１１５８とを有する。なお、電気ケーブル１１８５の他端部は図外の商用電源側と接続される。
【００４２】
３．固定体
図１５及び図１６を用いて説明する。
固定部１００７は、光源体１００３に取り付けられるフレーム１０１７と、フレーム１０１７に装着される取付アーム１０１９とを備える。
フレーム１０１７は、光源体１００３に取り付けられる環状の本体部１０１７ａと、本体部１０１７ａの外周縁から裏側に筒状に張り出す筒部１０１７ｂとを有している。本体部１０１７ａは、透光性カバー１７の環状部１７１の貫通孔１７１ｅに対応して設けられた貫通孔１０１７ｃを複数有している。フレーム１０１７は、ねじ体１０１８ａが表側からフレーム１０１７の貫通孔１０１７ｃ、透光性カバー１７の貫通孔１７１ｅに嵌合しているヒートシンク１５のカバー装着部１５１ｊのねじ穴１５１ｌ（図６参照）に螺合する。筒部１０１７ｂは、取付アーム１０１９を取り付けるためのねじ体１０１８ｂ用の一対のねじ孔（図示省略）を対向する部位に有している。なお、フレーム１０１７はここではアルミダイキャスト品が利用されている。
【００４３】
取付アーム１０１９は、ここでは「Ｕ」字状をし、開口している側の端部１０１９ａ，１０１９ａがフレーム１０１７に取り付けられる。取付けには、取付アーム１０１９の両端部１０１９ａ，１０１９ａの貫通孔のそれぞれを挿通するねじ体１０１８ｂがフレーム１０１７のねじ孔に螺合することで行われる。なお、取付アーム１０１９は、端部１０１９ａ，１０１９ａの貫通孔を結ぶ仮想軸を回転軸として、光源体１００３に対して姿勢調整可能に取り付けられる。
なお、取付アーム１０１９は、両端部１０１９ａ，１０１９ａ間の中央部１０１９ｂに梁等への取付用の貫通孔１０１９ｃを複数有する。
上記の取付アーム１０１９は端部１０１９ａ，１０１９ａの貫通孔を結ぶ仮想軸を回転軸として姿勢調整可能にフレーム１０１７に取り付けられているが、例えば、図１８に示すように、取付アーム２０１９の中央部２０１９ｂを梁等に対して姿勢調整可能に取り付けられるようにしてもよい。この場合、中央部２０１９ｂに固定用の貫通孔２０１９ｃと、貫通孔２０１９ｃを中心とした円弧状の貫通孔２０１９ｄを設けることで実施できる。なお、図１８に示す照明装置２００１は投光器としても利用できる。
【００４４】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００４５】
＜変形例＞
１．フィン
実施形態に係るフィン１５３は金属板を「コ」字にプレスして構成されていたが、他の形状にプレスされてもよい。他の形状としては、逆「Ｕ」字状、逆「Ｖ」字状、「Ｌ」字状、蛇腹状（三角波状、正弦波状）等がある。
フィン１５３は金属ベース板１５１に対して周方向に間隔をおいて放射状に設けられていたが、例えば平行に配してもよい。複数のフィン１５３の高さは、同じであってもよいし、異なってもよい。複数のフィン１５３の材料は同じであってもよいし、異なってもよい。
【００４６】
２．ヒートシンク
実施形態に係るヒートシンク１５は、薄肉の金属板を利用しているため、軽量化が図れる。
フィン１５３の厚みは０．２［ｍｍ］以上１．２［ｍｍ］以下がよく、０．３［ｍｍ］以上０．８［ｍｍ］以下が好ましい。フィン１５３の厚みは０．２［ｍｍ］より小さくなると金属ベース板１５１への取り付けが困難になるからである。フィン１５３の厚みが１．２［ｍｍ］より大きくなると、軽量化の効果が得られないためである。
金属ベース板１５１の厚みは１．０［ｍｍ］以上３．０［ｍｍ］以下が好ましい。金属ベース板１５１が１．０［ｍｍ］より小さくなるとフィン１５３の取付が困難になるためである。金属ベース板１５１が３．０［ｍｍ］より大きくなると、軽量化の効果が得られないためである。なお、金属ベース板１５１はフィン１５３の厚みの２倍以上好ましい。
なお金属ベース板１５１及びフィン１５３はアルミニウムが好ましい。特に純アルミニウムの方がアルミニウム合金よりも放熱性の観点から好ましい。
【００４７】
３．フィンの金属ベース板への位置合わせ
実施形態では、金属ベース板１５１の凸部１５１ｑがフィン１５３の貫通孔１５３ｄに嵌合して、フィン１５３の金属ベース板１５１への位置合わせを行っている。しかしながら、例えば、フィン１５３の貫通孔１５３ｄを凹みで構成してもよい。逆に、フィンに凸部を設け、金属ベース板に凹部を設けてもよい。さらに、ＬＥＤモジュールを密閉状態で収容する必要がない場合は金属ベース板に貫通孔を設けてもよい。
【００４８】
４．ＬＥＤモジュールと透光性カバーの装着部
実施形態でのＬＥＤモジュール１３の金属ベース板１５１への装着具としてねじ部（１５１ｂ）を利用していたが、例えばねじ部と頭部とを有するねじ体を利用してもよい。
また、例えば、装着具としてねじ孔を有する金属筒体（例えばナット体である。）を利用してもよい。この場合、ＬＥＤモジュールのＬＥＤ基板の貫通孔は金属筒体と嵌合できる大きさにする必要があり、当該貫通孔よりも大きなワッシャや頭部を有するねじ体により螺着される。
実施形態での透光性カバー１７の金属ベース板１５１へのカバー装着部１５１ｊとしてボス１５１ｋに設けられたねじ穴１５１ｌを利用し（カバー装着具として貫通雌ねじを有する金属筒体を利用し）ていたが、例えば、カバー装着具としてナット体を利用してもよい。
【００４９】
５．フィンカバー体
実施形態におけるフィンカバー体１６のフィン部１５３ａと嵌合する溝に相当する溝部分１６１ｊ，１６３ｄを構成する辺が直線状をした三角形状（「Ｖ」字状）をしていたが、例えば、溝を構成する辺が曲線状をした「Ｕ」字状であってもよいし、溝を構成する辺が折れ線状をし全体が三角形状をしてもよい。この場合も、溝を構成する辺がガイド機能を有する。また、三角形状以外の溝の形状であってもよい。他の形状としては、フィン部１５３ａの厚みに対応する幅の矩形状の溝等がある。
実施形態の溝部分１６１ｊ，１６３ｄは、フィン部における金属ベース板の径方向の両端部と嵌合するように２つ設けられていたが、例えば、フィン部における金属ベース板の径方向の中間部と嵌合する溝を有してもよい。但し、フィン部の両端と嵌合することで、フィン部の移動や振動を効率よく規制することができる。内環状部１６１と外環状部１６３に溝部分１６１ｊ，１６３ｄを設けているので容易に実施できる。
【符号の説明】
【００５０】
１    照明装置
１３    ＬＥＤモジュール
１５    ヒートシンク
１６    フィンカバー体
１７    透光性カバー
１３１    ＬＥＤ素子
１３３    ＬＥＤ基板
１５１    金属ベース板
１５１ｂ  モジュール装着部
１５１ｊ  カバー装着部
１５３    フィン
１６１ｊ  溝部分
１６３ｄ  溝部分
【図１】
2020170725.tif 000003
【図２】
2020170725.tif 000004
【図３】
2020170725.tif 000005
【図４】
2020170725.tif 000006
【図５】
2020170725.tif 000007
【図６】
2020170725.tif 000008
【図７】
2020170725.tif 000009
【図８】
2020170725.tif 000010
【図９】
2020170725.tif 000011
【図１０】
2020170725.tif 000012
【図１１】
2020170725.tif 000013
【図１２】
2020170725.tif 000014
【図１３】
2020170725.tif 000015
【図１４】
2020170725.tif 000016
【図１５】
2020170725.tif 000017
【図１６】
2020170725.tif 000018
【図１７】
2020170725.tif 000019
【図１８】
2020170725.tif 000020